(57)【特許請求の範囲】
【請求項１】
カラオケ曲を演奏する演奏手段と、
カラオケ曲の演奏に対応した歌詞映像を発生する歌詞映像発生手段と、
情報映像を発生する情報映像発生手段と、
背景映像を発生する背景映像発生手段と、
歌詞映像と背景映像を合成して第１の合成映像を作成する第１の合成手段と、
情報映像と背景映像を合成して第２の合成映像を作成する第２の合成手段と、
第１の合成映像を第１のモニタに出力する第１の映像出力部と、
第１の合成映像または第２の合成映像を選択的に第２のモニタに出力する第２の映像出力部と、
を有するカラオケ装置。
【請求項２】
演奏手段に演奏させるカラオケ曲を予約する予約手段と、
予約されたカラオケ曲の演奏開始までの待ち時間を計算する待ち時間計算手段と、を備え、
情報映像発生手段は、予約されたカラオケ曲および各カラオケ曲の演奏開始までの待ち時間を含む情報映像を発生する手段である請求項１に記載のカラオケ装置。
【請求項３】
演奏手段に演奏させるカラオケ曲を予約する予約手段と、
演奏手段の演奏テンポを変更するテンポ変更手段と、
予約されたカラオケ曲の演奏開始までの待ち時間を演奏手段の演奏テンポに基づいて計算する待ち時間計算手段と、を備え、
情報映像発生手段は、予約されたカラオケ曲および各カラオケ曲の演奏開始までの待ち時間を含む情報映像を発生する手段である請求項１に記載のカラオケ装置。
【発明の詳細な説明】
【０００１】
【産業上の利用分野】
この発明は、モニタに対してカラオケ演奏時の歌詞や背景映像以外に予約情報などのサービス情報を表示するカラオケ装置に関し、特に、その表示制御の改善に関する。
【０００２】
【従来の技術】
モニタを備え、カラオケ演奏中にこのモニタに歌詞や背景映像を表示するカラオケ装置が普及している。また、業務用カラオケ装置にはカラオケ曲を歌唱する歌唱者用のモニタとそれ以外の顧客が見る聴衆用のモニタの複数台のモニタを備えたカラオケ装置も実用化されている。また、歌詞や背景映像以外にも予約曲のリストなどをモニタに表示する機能を備えたカラオケ装置も実用化されている。
【０００３】
【発明が解決しようとする課題】
上記の歌唱者用モニタと聴衆用モニタを備えたカラオケ装置においては、一般的に歌唱者用モニタの方が聴衆用モニタよりも小型のモニタを用いている。このため、歌唱者の歌唱中に歌詞に加えて予約曲のリストなどのサービス情報がモニタに表示されると、歌唱者は歌詞が見づらくなるなど歌唱に差し障りがある場合があった。しかし、その一方で歌唱者には不要でも順番を待っている聴衆には曲順や自分が歌う曲が始まるまでの待ち時間などの情報は知りたいものである。
【０００４】
この発明は、予約曲の待ち時間などの必要なサービス情報を表示することができ、且つ、歌唱者用のモニタには歌唱に不要な情報を表示しないカラオケ装置を提供することを目的とする。
【０００６】
【課題を解決するための手段】
請求項１の発明は、カラオケ曲を演奏する演奏手段と、カラオケ曲の演奏に対応した歌詞映像を発生する歌詞映像発生手段と、情報映像を発生する情報映像発生手段と、背景映像を発生する背景映像発生手段と、歌詞映像と背景映像を合成して第１の合成映像を作成する第１の合成手段と、情報映像と背景映像を合成して第２の合成映像を作成する第２の合成手段と、第１の合成映像を第１のモニタに出力する第１の映像出力部と、第１の合成映像または第２の合成映像を選択的に第２のモニタに出力する第２の映像出力部と、を有することを特徴とする。
【０００７】
請求項２の発明は、請求項１の発明において、演奏手段に演奏させるカラオケ曲を予約する予約手段と、予約されたカラオケ曲の演奏開始までの待ち時間を計算する待ち時間計算手段と、を備え、情報映像発生手段は、予約されたカラオケ曲および各カラオケ曲の演奏開始までの待ち時間を含む情報映像を発生する手段であることを特徴とする。
【０００８】
請求項３の発明は、請求項１の発明において、演奏手段に演奏させるカラオケ曲を予約する予約手段と、演奏手段の演奏テンポを変更するテンポ変更手段と、予約されたカラオケ曲の演奏開始までの待ち時間を演奏手段の演奏テンポに基づいて計算する待ち時間計算手段と、を備え、情報映像発生手段は、予約されたカラオケ曲および各カラオケ曲の演奏開始までの待ち時間を含む情報映像を発生する手段であることを特徴とする。
【０００９】
【発明の実施の形態】
図１はこの発明の実施形態であるカラオケ装置のブロック図である。このカラオケ装置は２台のモニタを備えている。一方は、歌唱者がマイク２７を持って歌唱する場所に設置される小型の歌唱者用モニタ２６であり、他方は、客席に向けて設けられた大型の聴衆用モニタ２５である。カラオケ曲の演奏時には両方のモニタに背景映像および歌詞が表示され、カラオケ曲の非演奏時には両方のモニタに曲の予約リストなどのサービス情報が表示される。一方、カラオケ曲の演奏時にサービス情報を表示する場合には、この表示内容は聴衆用モニタ２５のみにスーパーインポーズで表示され、歌唱者用モニタ２６には背景映像と歌詞のみが表示される。ここで、歌唱者用モニタがこの発明の第１のモニタに対応し、聴衆用モニタがこの発明の第２のモニタに対応する。
【００１０】
なお、このカラオケ装置は、楽曲データによって音源装置１９を駆動してカラオケ演奏音を発生する音源カラオケ装置であり、ホストステーションから通信回線を介してダウンロードされた楽曲データはハードディスク装置１７内に数百〜数千曲分が記憶される。利用者は、リモコン３０やパネルスイッチ１５を操作することにより、ハードディスク装置１７に記憶されている楽曲データをリクエストすることができる。リクエストは複数曲まとめてすることができ、そのとき演奏されている曲以降の曲は予約曲として予約テーブルに記憶される。
【００１１】
図１において、装置全体の動作を制御するＣＰＵ１０には、バスを介してＲＯＭ１１，ＲＡＭ１２，ハードディスク記憶装置（ＨＤＤ）１７，ＩＳＤＮコントローラ１６，リモコン受信機１３，表示パネル１４，パネルスイッチ１５，音源装置１９，Ｄ／Ａコンバータ２０，ＤＳＰ２１および表示制御部２４が接続されている。
【００１２】
ＲＯＭ１１には、システムプログラム，シーケンスプログラム，ローダおよびフォントデータが記憶されている。システムプログラムは、この装置の基本動作や周辺機器とのデータ送受を制御するプログラムである。シーケンスプログラムは、メインシーケンスプログラム，楽音シーケンスプログラム，文字シーケンスプログラム，音声シーケンスプログラムおよびＤＳＰシーケンスプログラムなどからなっている。カラオケ演奏時には各シーケンスプログラムがＣＰＵ１０によって並列処理され、楽曲データに基づいた楽音の発生，映像の再生，歌詞の表示等が行われる。ローダは、ホストステーションから楽曲データをダウンロードするためのプログラムである。フォントデータは、歌詞や曲名などを表示するためのものであり、明朝体や丸ゴジック体などの複数種類の文字種のフォントが記憶されている。また、ＲＡＭ１２には、演奏予約テーブルが設定される。ＩＳＤＮコントローラ１６は、ＩＳＤＮ回線を介してホストステーションと交信するためのコントローラである。ホストステーションからは楽曲データなどがダウンロードされる。ＩＳＤＮコントローラ１６はＤＭＡ回路を内蔵しており、ダウンロードされた楽曲データをＣＰＵ１０を介さずに直接ＨＤＤ１７に書き込む。
【００１３】
リモコン受信機１７はリモコン３０から送られてくる赤外線信号を受信してデータを復元する。リモコン３０は選曲スイッチや予約リスト表示スイッチなどのコマンドスイッチやテンキースイッチなどを備えており、利用者がこれらのスイッチを操作するとその操作に応じた選曲コードなどのデータを赤外線信号として送出する。表示パネル１４はこのカラオケ装置の前面に設けられており、現在演奏中の曲コードや予約曲数などを表示するものである。パネルスイッチ１５はカラオケ装置の前面操作部に設けられており、曲コード入力スイッチやキーチェンジスイッチなどを含んでいる。
【００１４】
音源装置１９は、前記楽曲データに含まれるシーケンス楽音データに基づいて楽音信号を形成する。Ｄ／Ａコンバータ２０は、楽曲データに含まれるＡＤＰＣＭデータである音声データを入力して音声信号に変換する。音源装置１９が発生した楽音信号およびＤ／Ａコンバータ２０が変換した音声信号はＤＳＰ２１に入力される。また、ＤＳＰ２１にはマイク２７が接続されており、歌唱者の歌唱信号が入力される。ＤＳＰ２１は、音源装置１９から入力された楽音信号、Ｄ／Ａコンバータ２０から入力された音声信号およびマイク２７から入力された歌唱信号に対してリバーブ，エコーなどの効果を付与する。ＤＳＰ２１が付与する効果の種類や程度は、楽曲データに含まれているＤＳＰコントロールデータに基づいて制御される。ＤＳＰコントロールデータはＣＰＵ１０が楽曲データから読み出してＤＳＰ２１に入力する。効果が付与された楽音信号，音声信号はミキシングされたのちアンプ・スピーカ２２に出力される。アンプ・スピーカ２２はこの信号を増幅したのち放音する。
【００１５】
また、表示制御部２４は、聴衆用モニタ２５，歌唱者用モニタ２６を接続しており、それぞれのモニタに対してカラオケの背景映像および歌詞の映像信号を出力する。図２に該表示制御部２４のブロック図を示す。ＣＰＵ１０からは、背景映像選択データ，歌詞の文字パターンデータおよびサービス情報の文字パターンデータが入力される。これらのデータのうち、背景映像選択データはＬＤチェンジャ３０に入力され、歌詞の文字パターンデータは歌詞メモリ３１に入力さされ、サービス情報の文字パターンデータはサービス情報メモリ３２に入力される。ＬＤチェンジャ３０は５枚程度のＬＤを内蔵しており、ＣＰＵ１０から入力された背景映像像選択データに基づき、ＬＤおよび該ＬＤのチャプタを選択してその映像を再生する。
【００１６】
歌詞メモリ３１に記憶されている文字パターンデータは加算器３３および加算器３４に出力される。加算器３３ではこの歌詞の文字パターンデータとサービス情報メモリ３２に記憶されているサービス情報の文字パターンとが加算される。加算されたデータは加算器３５に入力される。加算器３４および加算器３５にはＬＤチェンジャ３０が出力した背景映像データが入力される。加算器３４では背景映像に歌詞の文字パターンがスーパーインポーズで加算され第２の映像信号が形成される。また、加算器３５では背景映像に歌詞およびサービス情報の文字パターンがスーパーインポーズで加算され第１の映像信号が形成される。
【００１７】
第１の映像信号は聴衆用モニタ２５に出力されるとともに、切換スイッチ３６に入力される。また、第２の映像信号は加算器３４から該切換スイッチ３６に入力される。切換スイッチのコモン接点は歌唱者用モニタ２６に接続されている。切換スイッチ２６はＣＰＵ１０から入力される切換信号によって切り換えられる。切換スイッチ３６は通常は第１の映像信号側に切り換えられているが、カラオケ演奏中にサービス情報（予約リスト）を表示する場合には第２の映像信号側に切り換えられ、歌唱者用モニタ２６にこのサービス情報を表示しないようにする。
【００１８】
図３は楽曲データの構成を示す図である。１つの楽曲データは、ヘッダ，楽音トラック，歌詞トラック，音声トラック，ＤＳＰコントロールトラックおよび音声データ部からなっている。ヘッダは、この楽曲データに関する種々のデータが書き込まれる部分であり、曲名，ジャンル，発売日，曲の演奏時間などのデータが書き込まれている。ＣＰＵ１０は、曲の予約操作が行われたとき、その曲（楽曲データ）のヘッダから演奏時間を読み出して予約リストに記憶する。また、カラオケ演奏をスタートするときには、ヘッダのジャンルデータに基づいて背景映像を決定しＬＤチェンジャ２４に対して背景映像選択データを送信する。背景映像の決定方式は、冬をテーマにした演歌の場合には雪国の映像を選択し、ポップスの場合には外国の映像を選択するなどである。
【００１９】
楽音トラックには、メロディトラック，リズムトラックを初めとして種々のパートのトラックが形成されている。各トラックには、イベントデータとデュレーションデータからなるシーケンスデータが書き込まれている。ＣＰＵ１０はシーケンスプログラムに基づいてデュレーションデータをカウントし、カウントアップするとそのデュレーションデータに続いて書き込まれているイベントデータを読み出す。歌詞トラックは、モニタ２５，２６上に歌詞を表示するためのデータを書き込むトラックである。このトラックのデータは楽音データではないがインプリメンテーションの統一をとり作業工程を容易にするためこのトラックもＭＩＤＩデータ（システムエクスクルーシブメッセージ）の形式で記述されている。音声トラックは、バックコーラスやハーモニーメロディの人声などの音源装置１９で合成しにくい音声信号を生成するためのシーケンスデータを書き込むトラックである。このトラックのイベントデータによって同楽曲データの音声データを読み出すことにより音声信号を生成する。音声データは、実際の音声信号をサンプリングしたＡＤＰＣＭデータであり、音声毎にｎ個（音声データｎ（ｎ＝１，２，…))に分割して記憶されている。ＤＳＰコンロールトラックはＤＳＰ２１を制御データするためのデータが書き込まれるシーケンストラックである。ＤＳＰ２１は主として楽音にリバーブなどの残響系の効果を付与するためのものであり、ＤＳＰコントロールトラックに記録されている効果の種類データと変化量データに基づいてその効果が時間的に調整される。
【００２０】
図４はＲＡＭ１２の一部構成図である。ＲＡＭ１２には図示のように演奏曲データレジスタおよび予約テーブルが設定される。演奏曲データレジスタには、演奏中の曲の曲コード、この曲の全曲の演奏時間および現在どの程度まで演奏が進んでいるかを示す時間データが記憶される。また、予約テーブルには現在予約されているカラオケ曲の曲コードおよびその全曲の演奏時間が予約順に記憶される。予約テーブルには１０曲程度の予約データを記憶することができるものとする。
【００２１】
図５は予約リストの表示例を示す図である。リモコン３０から予約リスト表示コマンドが入力されると、同図のような予約リストが表示される。予約リストは、曲の演奏順（番号）とその曲名およびその曲がスタートするまでの待ち時間からなっている。なお、カラオケ曲の演奏中に予約リスト表示コマンドが入力された場合、この予約リストは歌唱者用モニタ２６には表示されず聴衆用モニタ２５のみに表示される。
【００２２】
図６〜図８は同カラオケ装置の動作を示すフローチャートである。◇
図６は、選曲コマンドが入力されたときの動作を示すフローチャートである。リコモン３０等から選曲コマンドが入力されると（ｎ１）、この選曲コマンドに含まれる曲コードに対応する楽曲データをＨＤＤ１７から検索し（ｎ２）、そのヘッダから演奏時間データを読み出す（ｎ３）。この演奏時間を曲コードとともに予約テーブルの最後尾に追加し（ｎ４）、予約済の表示をモニタに行って（ｎ５）動作を終える。予約済の表示は、曲名とその曲の演奏がスタートするまでの待ち時間からなっている。待ち時間は、既に予約されている曲の全演奏時間＋現在演奏中の曲の残り時間＋曲の切換時間×予約曲数で計算される。
【００２３】
図７はカラオケスタート時の動作を示すフローチャートである。予約テーブルの先頭の曲の楽曲データを検索し（ｎ１０）、そのヘッダを読み出して（ｎ１１）、背景映像選択データを作成する（ｎ１２）。この背景映像選択データをＬＤチェンジャ３０に送出する（ｎ１３）。演奏中フラグをセットし（ｎ１４）、予約テーブルからこの曲を消去して２曲目以降のデータをシフトし、さらに、この曲のデータを演奏データレジスタに書き込む（ｎ１５）。こののちシーケンス動作をスタートする（ｎ１６）。
【００２４】
図８は予約リスト表示コマンドが入力されたときの動作を示すフローチャートである。予約リスト表示コマンドが入力されると（ｎ２０）、現在カラオケ曲が演奏中であるか否かを判断する（ｎ２１）。演奏中であれば切換スイッチ３６を第２の映像信号側に切り換えたのち（ｎ２２）ｎ２３に進む。演奏中でなければ第１の映像信号側のままｎ２３に進む。ｎ２３では予約テーブルからデータを読み出し、各曲毎に待ち時間を計算する（ｎ２４）。この待ち時間に基づいて図５に示すような表を作成し（ｎ２５）、これをサービス情報メモリ３２に書き込むためのパターンデータに変換したのち（ｎ２６）、サービス情報メモリ３２に送出する。これにより、聴衆用モニタ２５に予約リストが表示され、カラオケ曲の演奏中でなければ歌唱者用モニタ２６にも予約リストが表示される。一定時間表示したのちＣＰＵ１０はサービス情報メモリ３２を消去し、スイッチを第１の映像信号側に切り換える。これにより、カラオケ演奏中は聴衆用モニタ２５のみに予約リストが表示され、演奏中でない場合には全てのモニタに予約リストが表示される。
【００２５】
なお、予約リストの表示中にカラオケ演奏が開始されたときは、その時点で切換スイッチ３６を第２の映像信号側に切り換えて、歌唱者用モニタ２６から予約リストを消去するようにすればよい。また、上記実施形態では、カラオケ演奏中であっても予約リスト表示コマンドが入力されたときのみ切換スイッチ３６を第２の映像信号側に切り換えるようにしているが、カラオケ演奏中は切換スイッチ３６を第２の映像信号側に固定しておくようにしてもよい。
【００２６】
なお、この実施形態はサービス情報として予約リストを表示するようにしているが、サービス情報はこれに限定されるものではない。また、本実施形態において、聴衆用モニタ２５側にも切換スイッチを設け、聴衆用モニタ２５に対して歌詞などの一部映像を表示しないように設定することもできる。
【００２７】
また、カラオケ装置に曲のテンポ切換機能が付いている場合には、テンポの切り換えが行われる毎に予約曲の待ち時間を計算しなおすようにしてもよい。
【００２８】
なお、この実施形態に記載された発明を要約すると以下のようになる。
1)前記モニタを複数台備え、切換手段を該複数台のモニタに対する映像出力系統をそれぞれ独立して切り換える手段としたことを特徴とする。
【００２９】
2)前記複数系統は、歌詞の映像信号およびサービス情報の映像信号を出力する第１の系統と歌詞の映像信号のみを出力する第２の系統からなり、前記切換手段は、カラオケ演奏中に一部のモニタの映像信号出力系統を第２の系統に切り換える手段である。
【００３０】
3)前記一部のモニタは、歌唱者用のモニタである。
4)前記サービス情報は、カラオケ曲の予約情報である。
【００３１】
以上のような発明によれば、複数台のモニタに接続される映像信号出力系統をそれぞれ独立して切り換え、各々のモニタに映し出される映像を別々にすることができる。さらに、複数の系統を歌詞の映像信号およびサービス情報の映像信号を出力する第１の系統と歌詞の映像信号のみを出力する第２の系統で構成し、カラオケ演奏中は複数のモニタのうち歌唱者用のモニタに対して第２の系統を接続するようにすることにより、サービス情報が歌唱者の邪魔になることを防止することができる。
【００３３】
【発明の効果】
以上のように、請求項１の発明によれば、歌詞映像を含む第１の合成映像および情報映像を含む第２の合成映像の両方で同じ背景映像を共用しているため、背景映像を発生する手段が１つでよく、また、情報映像にも背景映像が付加されるため見やすい映像となる。
【図面の簡単な説明】
【図１】この発明の実施形態であるカラオケ装置のブロック図
【図２】同カラオケ装置の表示制御部の構成を示す図
【図３】楽曲データの構成を示す図
【図４】同カラオケ装置のＲＡＭの一部構成を示す図
【図５】同カラオケ装置の待ち時間の表示例を示す図
【図６】同カラオケ装置の動作を示すフローチャート
【図７】同カラオケ装置の動作を示すフローチャート
【図８】同カラオケ装置の動作を示すフローチャート
【符号の説明】
２４−表示制御部、２５−聴衆用モニタ、２６−歌唱者用モニタ
３１−歌詞メモリ、３２−サービス情報メモリ、３６−切換スイッチ
【図１】
0003680553.tif 000002
【図２】
0003680553.tif 000003
【図３】
0003680553.tif 000004
【図４】
0003680553.tif 000005
【図５】
0003680553.tif 000006
【図６】
0003680553.tif 000007
【図７】
0003680553.tif 000008
【図８】
0003680553.tif 000009